(57)【要約】【課題】プラスチックシートの厚さを薄くしても、カレンダー片を保持するに足る強度を有し、かつ、カレンダー片の挟み持ち力が維持され、また、挟み持ち強度の調節が不必要なカレンダーホルダーを得る。【解決手段】矩形の背面板１０と、背面板の対向する２の辺にそれぞれ連接された２の側板３１、３２と、２の側板にそれぞれ連接された２の表保持板４１、４２からなり、背面板と２の表保持板に挟まれたカレンダー片挿入用のカレンダー片収容部６３を持つカレンダーホルダー６である。背面板に折筋１１−１６を付けた。折筋は背面板の裏面を谷折りするものであり、折筋は直線であり、折筋の長さをＯＬとし、折筋の両端を延長して背面板の辺と交わる点まで延ばした仮想延長線の長さをＫＬとしたとき、式（１）が成立する。１／２ＫＬ≦ＯＬ≦ＫＬ  式（１）【選択図】図１
2018024098.tif 000002
【特許請求の範囲】
【請求項１】
矩形の背面板と、前記背面板の対向する２の辺にそれぞれ連接された２の側板と、前記２の側板にそれぞれ連接された２の表保持板と、前記背面板と２の表保持板に挟まれたカレンダー片挿入用のカレンダー片収容部とを備え、
前記背面板は折筋を有し、前記折筋は前記背面板の裏面を谷折りするものであり、前記折筋は直線であり、前記折筋の長さをＯＬとし、前記折筋の両端を延長して背面板の辺と交わる点まで延ばした仮想延長線の長さをＫＬとしたとき、式（１）が成立する、ホルダー。
１／２ＫＬ≦ＯＬ≦ＫＬ  式（１）
【請求項２】
支持脚を有しかつ矩形の背面板と、前記背面板の上辺と下辺にそれぞれ連接された上側板と下側板と、前記上側板に連接された上表保持板と前記下側板に連接された下表保持板と、前記背面板及び前記上表保持板と前記下表保持板に挟まれたカレンダー片挿入用のカレンダー片収容部とを備え、
前記背面板は折筋を有し、前記折筋は前記背面板の裏面を谷折りするものであり、前記折筋は直線であり、前記折筋の長さをＯＬとし、前記折筋の両端を延長して背面板の辺と交わる点まで延ばした仮想延長線の長さをＫＬとしたとき、式（１）が成立する、ホルダー。
１／２ＫＬ≦ＯＬ≦ＫＬ  式（１）
【請求項３】
前記折筋は２本の折筋である右外折筋と左外折筋からなり、前記右外折筋と前記左外折筋はそれぞれが前記背面板の上辺と下辺を結ぶ直線であり、
前記右外折筋は前記背面板の右辺から距離１０ｍｍ以内かつ前記右辺と平行に位置付けられ、前記左外折筋は前記背面板の左辺から距離１０ｍｍ以内かつ前記左辺と平行に位置付けられている、請求項２に記載したホルダー。
【請求項４】
前記折筋はさらに２本の前記折筋である右内折筋と左内折筋を含み、前記右内折筋と左内折筋は前記背面板の上辺と下辺を結ぶ直線であり、
前記右内折筋は前記背面板の右外折筋から左側に距離１０ｍｍ以内かつ前記右辺と平行に位置付けられ、前記左内折筋は前記背面板の左外折筋から右側に距離１０ｍｍ以内かつ前記左辺と平行に位置付けられている、請求項３に記載したホルダー。
【請求項５】
請求項１から請求項４のいずれかに記載したホルダーとカレンダー片とを備えた、卓上カレンダー。
【発明の詳細な説明】
【技術分野】
【０００１】
本発明は卓上カレンダーとそのホルダーに関するものである。
【背景技術】
【０００２】
従来、各種の卓上カレンダーが使用されている。その一例は、矩形の背面板と背面板の対向する２の辺にそれぞれ連接された２つの側板と、２の側板にそれぞれ連接された２の表保持板からなるホルダーと、背面板と表保持板の間に配置された複数枚のカレンダー片からなる卓上カレンダーである。背面板と表保持板の間に在る空間がカレンダー片収容部である。
【０００３】
背面板にはホルダーを傾斜させて立て掛けた状態に保持する支持脚を有することが多い。また側板と表保持板は背面板の上辺と下辺に一対で付着していたり、背面板の右辺と左辺に一対で付着していたりする。このホルダーは通常、プラスチックシートで作られている。
【０００４】
ホルダーは、紙素材のカレンダー片を保持するために撓みや捻りに対する一定の強度が必要である。この強度を保持するために従来のホルダーは、一定の厚さのプラスチックシートを使用せざるを得なかった。
【０００５】
厚いプラスチックシートからなるホルダーは材料費が高くなり、また、輸送費も高くなる。
【０００６】
また従来のホルダーは紙素材カレンダー片の固定が十分でなかった。すなわちホルダーは、カレンダー片収容部を構成する背面板と表保持板の間でカレンダー片を挟み持つことによりカレンダー片を固定しているが、挟み持ち力が十分でなかった。したがって、ホルダーが保持板の無い方向に傾くと、カレンダー片収容部からカレンダー片がずれたり、抜け落ちたりした。
【０００７】
カレンダー片の固定力向上に関しては、ホルダーの背面板に枠内に突出する凸部を有する押え片を切り欠きにより形成する提案がなされている（例えば特許文献１）。しかし当該提案にかかるホルダーは押え片を起立させる手数が必要であり、どの程度まで起立させれば（角度９０度引き起こすのか、６０度か３０度か）よいのか不明であった。
【０００８】
さらに押え片の起立状態を一定に維持するためには、厚いプラスチックシートを使うことが必要であり、上記した厚いプラスチックシート使用によって、他の問題点が生じるというジレンマがあり、十分な解決策となっていない。
【先行技術文献】
【特許文献】
【０００９】
【特許文献１】特開平１０−３２９４４９号公報
【発明の概要】
【発明が解決しようとする課題】
【００１０】
本発明は材料であるプラスチックシートの厚さを薄くしても、カレンダー片を保持するに足る強度を有するカレンダーホルダーを得ることを課題とする。本発明はさらに、材料であるプラスチックシートの厚さを薄くしても、カレンダー片の挟み持ち力が維持され、また、挟み持ち強度の調節が不必要であるカレンダーホルダーを得ることを課題とする。
【００１１】
また、本発明は、材料であるプラスチックシートの厚さを薄くしても、カレンダー片を保持するに足る強度を有するカレンダーホルダーとカレンダー片からなる卓上カレンダーを得ることを課題とする。
【００１２】
本発明はまた、材料であるプラスチックシートの厚さを薄くしても、カレンダー片の挟み持ち力が維持され、また、挟み持ち強度の調節が不必要であるカレンダーホルダーとカレンダー片からなる卓上カレンダーを得ることを課題とする。
【００１３】
本発明のその他の課題は、本発明の説明により明らかになる。
【課題を解決するための手段】
【００１４】
以下に課題を解決するための手段を述べる。理解を容易にするために、本発明の実施態様に対応する符号を付けて説明するが、本発明は当該実施態様に限定されるものではない。また、符号である数字は部品などを集合的に示す場合がある。
【００１５】
本発明の一の態様にかかるホルダーは、
矩形の背面板(10)と、前記背面板の対向する２の辺(35,36)にそれぞれ連接された２の側板(31,32)と、前記２の側板にそれぞれ連接された２の表保持板(41,42)と、前記背面板と２の表保持板に挟まれたカレンダー片挿入用のカレンダー片収容部(63)とを備え、
前記背面板は折筋(11-16)を有し、前記折筋は前記背面板の裏面を谷折りするものであり、前記折筋は直線であり、前記折筋の長さをＯＬとし、前記折筋の両端を延長して背面板の辺と交わる点まで延ばした仮想延長線の長さをＫＬとしたとき、式（１）が成立する。
１／２ＫＬ≦ＯＬ≦ＫＬ  式（１）
【００１６】
本発明の他の態様にかかるホルダーは、
支持脚(50)を有しかつ矩形の背面板(10)と、前記背面板の上辺と下辺にそれぞれ連接された上側板(31)と下側板(32)と、前記上側板に連接された上表保持板(41)と前記下側板に連接された下表保持板(42)と、前記背面板及び前記上表保持板と前記下表保持板に挟まれたカレンダー片挿入用のカレンダー片収容部(63)とを備え、
前記背面板は折筋(11-16)を有し、前記折筋は前記背面板の裏面を谷折りするものであり、前記折筋は直線であり、前記折筋の長さをＯＬとし、前記折筋の両端を延長して背面板の辺と交わる点まで延ばした仮想延長線の長さをＫＬとしたとき、式（１）が成立する。
１／２ＫＬ≦ＯＬ≦ＫＬ  式（１）
【００１７】
本発明の好ましい実施例にかかるホルダーは、
前記折筋が２本の折筋である右外折筋(12)と左外折筋(13)からなり、前記右外折筋と前記左外折筋はそれぞれが前記背面板の上辺と下辺を結ぶ直線であり、
前記右外折筋は前記背面板の右辺(37)から距離１０ｍｍ以内かつ前記右辺と平行に位置付けられ、前記左外折筋は前記背面板の左辺(38)から距離１０ｍｍ以内かつ前記左辺と平行に位置付けられている、本発明にかかるホルダーである。
【００１８】
本発明の他の好ましい実施例にかかるホルダーは、
前記折筋がさらに２本の前記折筋である右内折筋(14)と左内折筋(15)を含み、前記右内折筋と左内折筋は前記背面板の上辺と下辺を結ぶ直線であり、
前記右内折筋は前記背面板の右外折筋から左側に距離１０ｍｍ以内かつ前記右辺と平行に位置付けられ、前記左内折筋は前記背面板の左外折筋から右側に距離１０ｍｍ以内かつ前記左辺と平行に位置付けられている、上記に記載したホルダーである。
【００１９】
本発明の他の形態にかかる卓上カレンダーは、
本発明にかかるいずれかのホルダーとカレンダー片とを備えている。
【００２０】
以上説明した本発明、本発明の好ましい実施態様、これらに含まれる構成要素は可能な限り組み合わせて実施することができる。
【発明の効果】
【００２１】
本発明にかかるホルダーは、背面板に一定長さの折筋を付けたので、その他の発明特定事項と互いに作用しあって、撓みや捻りなどに対抗してカレンダー片を保持する強度が向上する利点がある。また折筋に由来して、背面板が軽微な谷折り形状にくせ付られるから、カレンダー片収容部に適切な挟み持ち力が付与される。そして当該谷折り形状は人力等でくせ付ける必要が無く、折筋を形成することにより形状が付与される。さらに保持強度の向上と挟み持ち力の付与は、材料の厚さを厚くすることなく実現できる。
【００２２】
本発明にかかる卓上カレンダーは、これを構成するホルダーの背面板に一定長さの折筋を付けたので、その他の発明特定事項と互いに作用しあって、撓みや捻りなどに対抗してカレンダー片を保持する強度が向上して、安定感のある卓上カレンダーとなる利点がある。また折筋に由来して、背面板が軽微な谷折り形状にくせ付られるから、カレンダー片収容部に収容されたカレンダー片が背面板から押されて、表保持板に押し付けられる。よって、カレンダー片の挟み持ち力が向上する。そして当該谷折り形状は人力等でくせ付ける必要が無く、折筋を形成することにより形状が付与される。よって、不測の力が加わってもカレンダー片収容部からカレンダー片が外れたり、抜け落ちたりすることがない。さらに保持強度の向上と挟み持ち力の付与は、材料の厚さを厚くすることなく実現できる。
【図面の簡単な説明】
【００２３】
【図１】図１は第一の実施例にかかるカレンダー用ホルダーの正面図である。
【図２】図２は折り込む前のホルダーの平面図である。
【図３】図３は折筋の形成と折筋を説明するホルダー基材の断面説明図である。
【図４】図４は第二の実施例にかかる、折り込む前のカレンダー用ホルダーの平面図である。
【図５】図５は第一の実施例にかかる卓上カレンダーの正面図である。
【図６】図６は第一の実施例にかかる卓上カレンダーの側面図である。
【発明を実施するための形態】
【００２４】
以下、図面を参照して本発明の実施例にかかる卓上カレンダーとホルダーをさらに説明する。本明細書において参照する各図は、本発明の理解を容易にするため、一部の構成要素を誇張して表すなど模式的に表しているものがある。このため、構成要素間の寸法や比率などは実物と異なっている場合がある。また、本発明の実施例に記載した部材や部分の寸法、材質、形状、その相対位置などは、とくに特定的な記載のない限りは、この発明の範囲をそれらのみに限定する趣旨のものではなく、単なる説明例にすぎない。
【００２５】
図１は第一の実施例にかかるホルダーの一例を示す正面図である。正面図にあって、上表保持板４１と下表保持板４２は背面板１０の上に重なるが、上表保持板４１と下表保持板４２の下側にある部材は、破線を用いて上下の関係を表現することなく、実線、一点鎖線で図示している。図５の正面図にあっても同様に図示している。
【００２６】
図２は折り込む前のホルダーの平面図である。当該平面図はホルダーの展開図に相当する。図５は第一の実施例にかかる卓上カレンダーの正面図である。図６は第一の実施例にかかる卓上カレンダーの側面図であり、図５におけるＡ−Ｂ線断面図である。
【００２７】
ホルダー６は背面板１０と表保持板である上表保持板４１と表保持板である下表保持板４２を有する。背面板１０は支持脚５０を有している。
【００２８】
背面板１０は矩形であり、上辺３５、下辺３６、右辺３７と左辺３８に囲まれている。ホルダー６は背面板１０の上辺３５に連接された上側板３１と、上側板３１に連接された上表保持板４１を有する。上側板３１は側板である。
【００２９】
背面板１０と上側板３１に挟まれる線は、上辺であるとともに上側板折目線３５である。図１から図６にあって、折目線は一点鎖線で図示している。上側板３１と上表保持板４１に挟まれる線は上表保持板折目線４５である。
【００３０】
また、ホルダー６は背面板１０の下辺３６に連接された下側板３２と、下側板３２に連接された下表保持板４２を有する。下側板３２は側板である。
【００３１】
背面板１０と下側板３２に挟まれる線は、下辺であるとともに下側板折目線３６である。下側板３２と下表保持板４１に挟まれる線は下表保持板折目線４６である。
【００３２】
上側板折目線３５と下側板折目線３６は、背面板の表面に谷折りの折目線である。背面板の表面とは、図２にあっては紙面の上側の面である。また、図６中に背面板１０の表面側を矢印６６で示している。
【００３３】
ホルダー基材７の上側板折目線３５で上側板３１を角度略９０度に引き起こし、さらに、上表保持板折目線４５で上表保持板４１を角度略９０度引き起こす。また、下側板折目線３６で下側板３２を角度略９０度引き起こし、さらに、下表保持板折目線４６で、下表保持板４２を角度略９０度引き起こす。
【００３４】
こうして、扁平な直方体空間であるカレンダー片収容部６３を有するホルダー６が出来る。カレンダー片収容部６３は背面板１０、上側板３１、下側板３２、上表保持板４１と下表保持板４２に囲まれている。右辺３７と左辺３８に側板が無く、これらがカレンダー片の出し入れ口である。
【００３５】
背面板１０は支持脚５０を有する。図１、図２に示す実施例では、ホルダー基材７に切込み線と折目線を設けて支持脚５０の部材としている。支持脚５０の部材は、係止部５２を持つ脚部５１と支持部５４である。
【００３６】
脚部５１を引き起こすよすがとなる脚部折目線５３と、支持部５４を引き起こすよすがとなる支持部折目線５５、５６は、背面板１０の裏面から見て谷折りの折目線である。背面板１０の裏面とは、図１における紙面の裏面であり、図６中に矢印６７で示す向きである。
【００３７】
脚部折目線５３を境にして、脚部５１を引き起こす。引き起こしの角度は略１４０度である。また、支持部折目線５５、５６を境にして支持部５４を引き起こす。引き起こしの角度は略４０度である。支持部の先端５８を係止部５２の中に挿入して先端５８を係止部５２に係止する。こうして脚部５１が起こされた状態で固定され、支持脚ができる。
【００３８】
ホルダー６は下辺３６と脚部接地辺５７が机表面等に接して自立する。当該支持脚の具体的な態様は図示して説明した態様に限られず、卓上カレンダー及びホルダーを立たせるための脚体として通常利用されているもののなかから適宜選択することができる。例えば、支持脚部材を別途製作し、背面板に接着、溶着等の手段で取り付ける態様であってもよい。
【００３９】
また、本発明にあって、「支持脚」には、卓上カレンダー吊り下げ用の吊り下げ取手をも包含する。吊り下げ取手は穴を有することがあり、また、鉤形状を有することもある。
【００４０】
ホルダー６は折筋である右外折筋１２、折筋である右内折筋１４、折筋である左外折筋１３と折筋である左内折筋１５を有する。図１から図６にあって、折筋は一点鎖線で図示した。
【００４１】
右外折筋１２と右内折筋１４は背面板１０の右辺３７と平行な直線であり、右辺３７と等しい長さである。すなわち右外折筋１２と右内折筋１４のそれぞれの上端は上辺であって上側板折目線３５と重なり、右外折筋１２と右内折筋１４のそれぞれの下端は下辺であって下側板折目線３６と重なっている。もっとも折筋を形成する加工を行うことから、それぞれの上端、下端が上辺又は下辺と重なるとは、それぞれの上端、下端が上辺又は下辺と最大で２ｍｍの間隔があることをも包含する意味である。
【００４２】
折筋はホルダー基材に折筋形成刃を圧入することにより形成する。図３は折筋形成の説明図であり、図３（ａ）は折筋形成刃圧入の説明図であり、図３（ｂ）は折筋の断面説明図である。
【００４３】
図３（ａ）に図示したように、ホルダー基材７に折筋形成刃２６を圧入する。こうして形成された折筋１１は溝形状の凹部である。溝の深さｇＤの程度により、撓み、捻り等に対する強度と、谷折り状態への変形の角度が左右される。好ましいｇＤの値は試行錯誤により定めればよい。
【００４４】
溝の深さｇＤの目安としては、ホルダー基材７の厚さｈＤの１／２である。前記試行錯誤はｇＤ＝（１／２）ｈＤから始めればよい。（１／２）ｈＤは０．５ｈＤと等しい。本実施例ではホルダー基材として厚さ（ｈＤ）０．４ｍｍのＰＥＴ（ポリエチレンテレフタレート）樹脂板を用いて、溝の深さ（ｇＤ）を０．２ｍｍとした。
【００４５】
折筋形成は脚部折目線５３、支持部折目線５５、５６の形成加工、場合によっては支持脚切込み線の切込み加工と同時に行うことができる。折筋形成は単独の加工手数を必要としない。
【００４６】
右外折筋１２は右辺３７からの距離が２ｍｍ以上１０ｍｍ以下の範囲にあることが好ましい。同様に左外折筋１３は左辺３８からの距離が２ｍｍ以上１０ｍｍ以下の範囲にあることが好ましい。この範囲にあれば背面板１０の周辺部で強度が向上する結果、背面板１０全体として強度が向上する。
【００４７】
右内折筋１４は右外折筋１２からの距離が２ｍｍ以上１０ｍｍ以下の範囲にあることが好ましい。同様に左内折筋１５は左外折筋１３からの距離が２ｍｍ以上１０ｍｍ以下の範囲にあることが好ましい。この範囲にあれば２本の折筋である外折筋と内折筋の強度向上作用が加算的に働く。
【００４８】
また折筋の方向は、扁平な矩形である表保持板の長手方向と直行する方向であることが好ましい。本実施例にあてはめると上表保持板４１の長手方向は横である。下表保持板４２の長手方向は横である。そして右外折筋１２、左外折筋１３、右内折筋１４と左内折筋１５はそれぞれが縦方向に延びる直線である。このようにすれば、背面板１０の上下方向について折筋形成による強度向上が生じ、また、背面板１０の左右方向について側板折目線と表保持板折目線などによる本来有している強度向上が働き、上下左右に強度が向上し、ホルダーが安定する。
【００４９】
さらに折筋を形成すれば、ホルダー基材は折筋を境にして、谷折りに軽度に変形する。こうして折筋を間に挟む区域で背面板１０が表保持板に接近する状態の変形が生じて、カレンダー片の挟み持ち力が向上する。
【００５０】
折筋は背面板１０の裏面側に溝を形成してもよく、背面板１０の表面側に溝を形成してもよい。折筋は背面板１０の裏面側に溝を形成することが好ましい。背面板１０の裏面とは図１における紙面の裏側であり、また、図６中の矢印６７で示す方向である。このようにすれば、右外折筋１２と左外折筋１３が裏面から見て谷折りに変形して右辺３７と左辺３８がそれぞれ表保持板（４１、４２）と間隔が大きくなる。従って右辺３７は左辺３８からカレンダー片収容部６３へのカレンダー片６１の出し入れが容易となる。
【００５１】
ホルダーの材質は、例えば、ＰＥＴ、ポリポロピレン、硬質塩ビなど合成樹脂、乳酸樹脂など生分解性樹脂を使用できる。
【００５２】
図５と図６を参照して、卓上カレンダー１はホルダー６とカレンダー片６１からなる。カレンダー片６１は複数枚である。用紙一枚の片面のみに各月のカレンダーを印刷して１年分で１２枚（あるいは前年１２月分および／又は翌年１月分を含めて１３枚又は１４枚）からなるカレンダー片とすることもでき、用紙一枚の両面にそれぞれ異なる月のカレンダーを印刷して合計６枚あるいは７枚のカレンダー片とすることもできる。
【００５３】
カレンダー片６１をホルダー６に収めて卓上カレンダー１とする。ホルダー６にあって、カレンダー片６１は背面板１０と上表保持板４１、下表保持板４２に挟まれたカレンダー片収容部６３に収容される。
【００５４】
最表面に位置付けられたカレンダー片（図５にあっては１０月分）はその表面の大部分が露出している。露出部の大きさは任意に定められるが、予定や行事などの書き込みに利するように、通常は日日部分を露出するように定めている。ここで露出部とは下表保持板４２の上辺と上表保持板４１の下辺に挟まれる部分である。カレンダー片の大きさに特に制限はない。実用上Ｂ７以上Ａ５以下の大きさに定められる。
【００５５】
第２の実施例にかかるホルダー６を説明する。図４は第２の実施例にかかる折り込み前のホルダーの平面図であり、当該平面図はホルダーの展開図と等しい。第２の実施例において第１の実施例にかかるホルダーと共通する部分、部材には同一の符号を付している。
【００５６】
ホルダー６は背面板１０に折筋である斜行折筋１６を有する。斜行折筋１６は矩形の背面板１０の上辺３５に平行ではなく、また右辺３７に平行ではない。斜行折筋１６は右端点１７と左端点１８を結ぶ直線である。
【００５７】
斜行折筋１６を右端点１７から右に延長して右延長線１９を描き、右延長線１９が右辺３７と交わる点を右交点２１とする。斜行折筋１６を左端点１８から左に延長して左延長線２０を描き、左延長線２０が左辺３８と交わる点を左交点２２とする。
【００５８】
斜行折筋１６の長さをＯＬとし、右交点２１と左交点２２の距離をＫＬとする。通常、ＯＬは式（１）を満足する。
１／２ＫＬ≦ＯＬ≦ＫＬ  式（１）
より好ましくは、ＯＬは式（２）を満足する。
２／３ＫＬ≦ＯＬ≦ＫＬ  式（２）
【００５９】
長さＯＬが上記範囲にある斜行折筋は、背面板の強度を向上させる効果を有する。またこのような斜行折筋はホルダー６におけるカレンダー片の挟み持ち力を向上させる。
【００６０】
斜行折筋１６は単一のホルダー６中に１本以上あればよい。単一のホルダー６中の最大本数は特に制限はないが、実用上１０本、より好ましくは６本、さらに好ましくは４本である。
【００６１】
また斜行折筋１６は一般形態であり、その特定の形態が背面板の辺に平行に形成された折筋である。辺に平行な折筋についても式（１）は成立する。辺に平行な折筋の長さは、通常当該辺の長さの１／２以上、辺の長さ以下であり、より好ましくは当該辺の長さの２／３以上、辺の長さ以下である。
【００６２】
斜行折筋１６の形成方法、溝が背面板の裏面に形成されることなどは実施例１における右外折筋他の折筋と同じである。
【００６３】
図４に図示した実施例２のホルダー６は下側板３２と下表保持板４２に加えて、右表保持板４３、左表保持板４４を有する。
【００６４】
すなわち、背面板１０の右辺であって右側板折目線３７に側板である右側板３３が連接され、右側板３３に右表保持板折目線４７をはさんで表保持板である右表保持板４３が連接されている。背面板１０の左辺であって左側板折目線３８に側板である左側板３４が連接され、左側板３４に左表保持板折目線４８をはさんで表保持板である左表保持板４４が連接されている。
【００６５】
ホルダー６におけるカレンダー片収容部は、背面板１０と、右側板３３と右表保持板４３、左側板３４と左表保持板４４、下側板３２と下表保持板４２に挟まれた扁平な直方体である。カレンダー片は、カレンダー片収容部の上部側面から出し入れされる。
【００６６】
以上説明した、本発明にかかる卓上カレンダーの好ましい実施態様の一例は、以下の態様である。
【００６７】
本発明にかかる卓上カレンダーにおけるホルダーにあって、背面板が有する支持脚は、背面板が切断線で切り出され、係止部を有する脚部と、背面板が切断線で切り出された支持部から構成され、前記脚部を背面板から起立させて前記脚部を背面板から起立させて、前記係止部に支持部を係止してなる支持脚である。
【００６８】
また、本発明にかかる卓上カレンダーは以下に列記する項目（１）から（４）の態様で実施してもよい。
【００６９】
（１）矩形の背面板と、前記背面板の対向する２つの辺にそれぞれ連接された２の側板と、前記２の側板にそれぞれ連接された２の表保持板からなるホルダーと、前記背面板と２の表保持板の間に配置されたカレンダー片とを備え、
前記ホルダーは、前記背面板に折筋を付けたものであって、前記折筋は前記背面板の裏面を谷折りするものであり、前記折筋は直線であり、前記折筋の長さをＯＬとし、前記折筋の両端を延長して背面板の辺と交わる点まで延ばした仮想延長線の長さをＫＬとしたとき、式（１）が成立するホルダーである卓上カレンダー。
１／２ＫＬ≦ＯＬ≦ＫＬ  式（１）
【００７０】
（２）支持脚を有しかつ矩形の背面板と、前記背面板の上辺と下辺にそれぞれ連接された上側板と下側板と、前記上側板に連接された上表保持板と前記下側板に連接された下表保持板からなるホルダーと、前記背面板と上表保持板および下表保持板の間に配置されたカレンダー片とを備え、
前記ホルダーは、前記背面板に折筋を付けたものであって、前記折筋は前記背面板の裏面を谷折りするものであり、前記折筋は直線であり、前記折筋の長さをＯＬとし、前記折筋の両端を延長して背面板の辺と交わる点まで延ばした仮想延長線の長さをＫＬとしたとき、式（１）が成立するホルダーである卓上カレンダー。
１／２ＫＬ≦ＯＬ≦ＫＬ  式（１）
【００７１】
（３）前記ホルダーは、前記折筋が２本の折筋である右外折筋と左外折筋からなり、前記右外折筋と前記左外折筋がそれぞれが前記背面板の上辺と下辺を結ぶ直線であり、
前記右外折筋が前記背面板の右辺から距離１０ｍｍ以内かつ前記右辺と平行に位置付けられ、前記左外折筋は前記背面板の左辺から距離１０ｍｍ以内かつ前記左辺と平行に位置付けられているホルダーである上記（２）に記載した卓上カレンダー。
【００７２】
（４）前記ホルダーは、さらに２本の前記折筋である右内折筋と左内折筋を含み、前記右内折筋と左内折筋は前記背面板の上辺と下辺を結ぶ直線であり、
前記右内折筋が前記背面板の右外折筋から左側に距離１０ｍｍ以内かつ前記右辺と平行に位置付けられ、前記左内折筋が前記背面板の左外折筋から右側に距離１０ｍｍ以内かつ前記左辺と平行に位置付けられているホルダーである上記（３）に記載した卓上カレンダー。
【００７３】
以上本発明にかかる実施の形態について図面を参照して説明したが、具体的な構成例はこれらの実施の形態に限られるものではなく、本発明の要旨を逸脱しない範囲の設計変更などがあっても本発明に含まれる。
【符号の説明】
【００７４】
１    卓上カレンダー
６    ホルダー
７    ホルダー基材
１０    背面板
１１    折筋
１２    折筋である右外折筋
１３    折筋である左外折筋
１４    折筋である右内折筋
１５    折筋である左内折筋
１６    折筋である斜行折筋
１７    右端点
１８    左端点
１９    右延長線
２０    左延長線
２１    右交点
２２    左交点
２６    折筋形成刃
３１    側板である上側板
３２    側板である下側板
３３    側板である右側板
３４    側板である左側板
３５    上辺であって上側板折目線
３６    下辺であって下側板折目線
３７    右辺であって右側板折目線
３８    左辺であって左側板折目線
４１    表保持板である上表保持板
４２    表保持板である下表保持板
４３    表保持板である右表保持板
４４    表保持板である左表保持板
４５    上表保持板折目線
４６    下表保持板折目線
４７    右表保持板折目線
４８    左表保持板折目線
５０    支持脚
５１    支持脚構成部分である脚部
５２    係止部
５３    脚部折目線
５４    支持脚構成部分である支持部
５５    支持部折目線
５６    支持部折目線
５７    脚部接地辺
５８    先端
６１    カレンダー片
６３    カレンダー片収容部
６６    背面板の表側を示す矢印
６７    背面板の裏側を示す矢印
【図１】
2018024098.tif 000003
【図２】
2018024098.tif 000004
【図３】
2018024098.tif 000005
【図４】
2018024098.tif 000006
【図５】
2018024098.tif 000007
【図６】
2018024098.tif 000008